(57)【要約】【課題】  店頭において、顧客が商品等に関する必要な情報を映像で確認できるようにした装置を提供する。【解決手段】  本発明の店頭表示装置１は、小型電子機器１１のディスプレイ１１ｄが窓孔部３ｍから見えるように、ディスプレイに対向する部位をくり抜いてある表示板３がテーブル５上に立設され、表示板３の背後に該ディスプレイ付き小型電子機器１１が設置されている店頭表示装置において、ディプレイ手前側のテーブル面には当該小型電子機器に接続した非接触ＩＣカード用リーダライタ１２とプリンタ装置１３が設置されており、顧客が選択した非接触ＩＣカード２を前記非接触ＩＣカード用リーダライタ１２にかざすと、該非接触ＩＣカード２に記録したコードに基づく映像を前記ディスプレイ１１ｄに表示し、映像に関連した情報をプリンタ装置１３が出力することを特徴とする。【選択図】    図１
2009175286.tif 000002
【特許請求の範囲】
【請求項１】
小型電子機器のディスプレイが窓孔部から見えるように、ディスプレイに対向する部位をくり抜いてある表示板がテーブル上に立設され、表示板の背後に該ディスプレイ付き小型電子機器が設置されている店頭表示装置において、ディプレイ手前側のテーブル面には当該小型電子機器に接続した非接触ＩＣカード用リーダライタとプリンタ装置が設置されており、顧客が選択した非接触ＩＣカードを前記非接触ＩＣカード用リーダライタにかざすと、該非接触ＩＣカードに記録したコードが読み取られて小型電子機器の制御部に送信され、当該コードに基づく映像を前記ディスプレイに表示すると共に、映像に関連した情報をプリンタ装置が出力することを特徴とする店頭表示装置。
【請求項２】
小型電子機器のディスプレイがタッチパネル式接点を有していて、顧客が該タッチパネルの接点に触れると、表示中の映像に関連する情報が前記プリンタ装置から出力されることを特徴とする請求項１記載の店頭表示装置。
【請求項３】
映像が調理に関するものであり、関連する情報が調理のレシピであることを特徴とする請求項１または請求項２記載の店頭表示装置。
【請求項４】
非接触ＩＣカードに当該非接触ＩＣカードにより表示される映像情報の種別を示す絵柄または文字が表示されていることを特徴とする請求項１記載の店頭表示装置。
【発明の詳細な説明】
【技術分野】
【０００１】
本発明は、食料品店等の店頭において顧客が適切な商品を購入できるようにした店頭表示装置に関する。詳しくは、本表示装置に接続した非接触ＩＣカード用リーダライタに、顧客が選択した非接触ＩＣカードをかざすと、該非接触ＩＣカードに関連した映像をディスプレイに表示し、かつ必要な情報を印字出力する表示装置に関する。
【背景技術】
【０００２】
一般に店頭等において商品等の広告表示を行なう媒体としては、看板やフラッグ、値札等がある。また最近では、テレビ受像機を配列してビデオ画像により商品の印象付けや、広告、インフォメーションを行なう例も増えてきている。
しかし、通常のテレビ受像機のビデオ画像では、単に宣伝したい商品等を一方的に連続的に流すだけのことで、顧客としては関心のある商品がいつ紹介されるのか判らないから、飽きてしまうし時間も無いことから、その場を離れてしまうのが通常である。
【０００３】
顧客が真に必要とする情報を提供するためには、顧客が自ら欲している情報を自らの意志に基づいて手軽に見えるようにすることが必要とされる。また、短時間で目的を達するためには、映像の流れる中で情報を選択するのではなく、予め他の媒体で必要な情報内容を予備的に選択できるようにすることが好ましい。そこで、本発明では非接触ＩＣカードを情報選択の媒体に使用し、ＩＣカード用リーダライタに、それに記録されているコードを読み取らせて、直ちに映像情報を表示し、必要に応じて当該情報を随時視覚的にも確認できるように印字等して出力することを考慮したものである。
【０００４】
本願に直接関連する先行特許文献を検出することはできないが、商品表示等に関するものに以下がある。特許文献１は、広告表示媒体及び展示具に関し、小型電子画像表示装置を陳列棚等の固定具に取り付けすることを提案している。画像は予め定められた内容を表示するものと考えられる。特許文献２は、記憶媒体を利用した情報配信方法等に関するが、該当する情報サイトであるホームページにはネットワークを介してアクセスするもので本願に直接関係にはしない。特許文献３は、非接触ＩＣカードリーダライタを表示部近傍に配置した映像表示装置を記載しているが、映像等の情報を非接触ＩＣカードに配信することを目的とするもので、本願の目的とは相違している。
【０００５】
【特許文献１】特開平７−１３４５５５号公報
【特許文献２】特開２００２−  ５８００８号公報
【特許文献３】特開２００６−２３５３６５号公報
【発明の開示】
【発明が解決しようとする課題】
【０００６】
上記のように、本発明は顧客のニーズに基づく映像情報と関連する情報の提供を行なうために、情報を表示するディスプレイの映像情報を予備的に選択するために、非接触ＩＣカードと非接触ＩＣカード用リーダライタを使用することを検討し、本発明の完成に至ったものである。
【課題を解決するための手段】
【０００７】
上記課題を解決する本発明の要旨は、小型電子機器のディスプレイが窓孔部から見えるように、ディスプレイに対向する部位をくり抜いてある表示板がテーブル上に立設され、表示板の背後に該ディスプレイ付き小型電子機器が設置されている店頭表示装置において、ディプレイ手前側のテーブル面には当該小型電子機器に接続した非接触ＩＣカード用リーダライタとプリンタ装置が設置されており、顧客が選択した非接触ＩＣカードを前記非接触ＩＣカード用リーダライタにかざすと、該非接触ＩＣカードに記録したコードが読み取られて小型電子機器の制御部に送信され、当該コードに基づく映像を前記ディスプレイに表示すると共に、映像に関連した情報をプリンタ装置が出力することを特徴とする店頭表示装置、にある。
【０００８】
上記において、小型電子機器のディスプレイがタッチパネル式接点を有していて、顧客が該タッチパネルの接点に触れると、表示中の映像に関連する情報が前記プリンタ装置から出力されるようにすることができ、その場合はその後随時関連した情報を再確認することができる。また、映像が調理に関するものとし、関連する情報が調理のレシピであるようにしてもよく、非接触ＩＣカードに当該非接触ＩＣカードにより表示される映像の種別を示す絵柄または文字が表示されているようにすれば、情報選択を迅速にできる。
【発明の効果】
【０００９】
本発明の店頭表示装置は、顧客の選択した非接触ＩＣカードのコードを非接触ＩＣカード用リーダライタが読み取り、そのＩＣカードに対応した映像を表示するので、一方的な情報提供になることはなく、顧客の求める情報を適時提供することができる。
本発明の店頭表示装置は、プリンタ装置にも接続しているため、記憶には残り難い映像情報のみではなく、随時視覚で確認できる文字等として印字出力することができる。
【発明を実施するための最良の形態】
【００１０】
以下、本発明の店頭表示装置について、図面を参照して説明する。図１は、店頭表示装置の外観構成を示す図、図２は、店頭表示装置のブロック構成を示す図、図３は、非接触ＩＣカードの例を示す図、である。
【００１１】
図１は、店頭表示装置の外観構成を示す図である。店頭表示装置１はテーブル５上にディスプレイ１１ｄを有する小型電子機器１１が設置されており、該小型電子機器１１のディスプレイ１１ｄが窓孔部３ｍから見えるように、ディスプレイ１１ｄに対向する部位をくり抜いてある表示板３がテーブル上に立設されている。ディスプレイ以外の小型電子機器１１部分は表示板３の背後に置かれていてもよい。表示板３とディプレイ１１ｄの手前側のテーブル５面には、当該小型電子機器１１に接続した非接触ＩＣカード用リーダライタ１２とプリンタ装置１３が設置されている。
【００１２】
表示板３は図１の場合、略半円形の形状にされているが、長方形状またはその他の形状であっても構わない。表示板３がテーブル５面に接する部分のほぼテーブル５の中央に、小型電子機器のディスプレイ１１ｄが見えるように窓孔部３ｍが形成されている。
窓孔部３ｍは略ディスプレイ画面の大きさと形状のものである。表示板３自体には装置の名称や機能、使い方等を表示してよいが、図１では図示を省略している。図１の場合、立設した表示板３の他にテーブル５の前面や脚部を覆う装飾板４が設けられ同様の表示をすることができる。
【００１３】
ディスプレイはテレビ用の液晶パネル等であっても構わないが、非接触ＩＣカード用リーダライタ１２やプリンタ装置１３等と接続するためには、小型電子機器１１のディスプレイ１１ｄであることが、システム化し易く好ましい。より具体的には小型のパーソナルコンピュータ（ＰＣ）やタブレット等を使用できる。画面サイズは１５インチ〜２０インチ程度のものでよい。液晶やＰＤＰ、有機ＥＬを使用した薄型ディスプレイが好ましい。  音響効果を高めるスピーカ１７ａ，１７ｂを勿論備えていてもよい。
【００１４】
非接触ＩＣカード用リーダライタ１２は、１３．５６ＭＨｚで交信する低出力の密接型リーダライタであってよい。特に遠距離通信の必要はないからである。プリンタ装置１３は目的により印字装置、あるいはカラー画像を記録できる簡易印刷装置等を選択できる。印字方法は熱転写記録やインキジェット印刷、レーザープリント方式等を採用できる。テーブル５上、または近辺には小型電子機器１１に映像を表示させる複数種から数百種の非接触ＩＣカード２が備えられていることが好ましい。ただし、非接触ＩＣカード２は、顧客が個別に携帯しても良いので、テーブル５上に非接触ＩＣカード２を備えることが必須の要件ではない。
【００１５】
図２は、店頭表示装置のブロック構成を示す図である。店頭表示装置１は、小型電子機器による制御部１１ｃを備え、制御部１１ｃには、ディスプレイ１１ｄ、複数種から数百種の映像を有する映像データベース１４、映像データに対応する資料データベース１５、非接触ＩＣカード用リーダライタ１２とプリンタ装置１３と、が接続している。制御部１１ｃにより店頭表示装置１の全体が制御される。
【００１６】
店頭表示装置１は、顧客が選択した非接触ＩＣカード２を前記非接触ＩＣカード用リーダライタ１２にかざすと、リーダライタ１２は該非接触ＩＣカード２に記録されているコードを読み取りし、小型電子機器１１の制御部１１ｃに送信する。小型電子機器１１は当該コードに基づく映像情報を映像データベース１４から選択して前記ディスプレイ１１ｄに表示する。ディスプレイ１１ｄは、ＣＤＲＯＭやＤＶＤ、あるいはメモリー媒体による映像データをドライバを駆動させて静止画像や動画像として表示する。
【００１７】
映像に関連した情報のプリンタ装置１３からの出力は、顧客が非接触ＩＣカード２を選択し前記非接触ＩＣカード用リーダライタ１２にかざす動作を行なった際に、映像の表示と同時に出力するようにしてもよい。ただし、ディスプレイ１１ｄが、ディスプレイ面の所定位置を指またはスタイラスで接触（タッチ）すると導通する接点を有するタッチパネル式であって、顧客が興味を持った映像により、画面または所定箇所を指触すると当該画面に関連した情報を、資料データベース１５を介してプリンタ装置１３に出力するようにするのが好ましい。タッチパネルは透明ディジタイザをディスプレイに重ねて構成したもの等が使用される。
【００１８】
映像に関連する情報とは、例えば、提供する情報が製造商品である場合は当該商品の性能や材料、製造メーカーや価格等、提供する情報が食料品である場合は、産地（国内、外国）や生産者、価格、消費期限等の情報、提供する情報が調理の場合は、当該調理の調理方法やレシピ、栄養価や材料価格、等であってよい。
【００１９】
非接触ＩＣカード２の種類は選択するメニューの数により任意の数にできる。あるいは、顧客が非接触ＩＣカード２を携帯するものであってもよい。店頭表示装置１に常設する非接触ＩＣカード２の場合は、持ち去られないように紐繋ぎにしておく必要がある。
前記非接触ＩＣカード用リーダライタ１２は、顧客が好みの１の非接触ＩＣカード２を選択して前記非接触ＩＣカード用リーダライタ１２にかざすと、非接触ＩＣカード用リーダライタ１２は、該非接触ＩＣカード２のコードを読み取りする。読み取りされた非接触ＩＣカード２のコードは、制御部１１ｃに送信される。
【００２０】
非接触ＩＣカード２は単にメニューを選択するためだけのものなので、カード自体が詳しい情報を保持する必要はない。従って、複雑なコードを識別する必要もなく、カード毎に、「１」、「２」、「３」とかの単純なコードが読み取りできればよい。コードを読み取りしたリーダライタ１２は、当該コードを制御部１１ｃに送信する。制御部１１ｃは映像データベース１４にアクセスして、該当の映像をディスプレイ１１ｄに表示するように指令する。非接触ＩＣカード２を顧客が携帯する場合は、当該ＩＣカード内に、顧客の属性や嗜好をコード化して記録したものにでき、顧客の属性や嗜好に応じた情報を表示することができる。
【００２１】
映像データベース１４は、非接触ＩＣカード２のコードに基づく映像データの集積からなっている。通常は、サーバに蓄積したり光ディスク（ＤＶＤやＣＤ−ＲＯＭ）に記録して供給する。光ディスクの場合は、ドライバが必要になる。非接触ＩＣカード２のコードに基づいて、各種の製造商品や食料品、調理方法の映像が流れることが好ましい。例えば、調理方法の動画の場合は、その調理方法の実演を記録したものが必要になる。
【００２２】
非接触ＩＣカード２は非接触ＩＣカード用リーダライタ１２が発する１３．５６ＭＨｚ電波を受信して、それにより生じる誘起電力により動作するものである。
非接触ＩＣカード２のカード基体内には、非接触ＩＣチップとアンテナコイルを有している。非接触ＩＣカード用リーダライタ１２も、非接触交信用のアンテナを有し、当該アンテナからＩＣカードを呼び出すポーリング信号を絶えず送信している。非接触ＩＣカードが当該リーダライタの交信可能域に入って、ポーリング信号を受信すると、ポーリング応答信号を非接触ＩＣカードが送信して交信が開始されることになる。
【００２３】
図３は、非接触ＩＣカードの例を示す図であって、調理のメニュー選択用のものを示している。非接触ＩＣカード２の表面（Ａ）には、「このカードをかざして下さい」等の表示２１がされており、裏面（Ｂ）には、メニューの表示が文字または図柄２２により表示されている。図２の場合、「簡単おつまみ」と「和風おつまみ」の２種の非接触ＩＣカード２を示している。いずれかのＩＣカードを選んで、非接触ＩＣカード用リーダライタ１２にかざすと、関連した映像がディスプレイ１１ｄに表示されるというものである。
メニューの選択は、キーボードや電子的画面をマウスで操作すること等でも勿論可能であるが、このように、図柄等を伴う非接触ＩＣカード２にすると可視性が高くなり、顧客のモチベーションを高め、店頭表示装置を使用する動作につながり易い。
【００２４】
本発明の店頭表示装置は、店舗の店頭に設置しても良いし、各種商品売場に設置しても良く、双方に連繋して設置しても良いものである。
また、本発明の店頭表示装置は、上述した実施形態に限定されず、諸種の変形実施形態が可能なものである。例えば、説明内容や調理のレシピ等を非接触ＩＣカード２に出力するようにし、顧客が自宅の非接触ＩＣカード用リーダライタで読み出して使用するようにすることもできるものである。
【図面の簡単な説明】
【００２５】
【図１】店頭表示装置の外観構成を示す図である。
【図２】同ブロック構成を示す図である。
【図３】非接触ＩＣカードの例を示す図である。
【符号の説明】
【００２６】
１    店頭表示装置
２    非接触ＩＣカード
３    表示板
４    装飾板
１１ｃ  制御部
１１ｄ  ディスプレイ
１２    非接触ＩＣカード用リーダライタ
１３    プリンタ装置
１４    映像データベース
１５    資料データベース
【図１】
2009175286.tif 000003
【図２】
2009175286.tif 000004
【図３】
2009175286.tif 000005